(57)【要約】【課題】本発明は、スピーカーユニットの前方向と後方向に出力される音を全て使用者が認識し得る前方向に出力されるようにするだけではなく、特に、低音を再生する性能を向上し得る携帯用端末機のサウンド出力装置を提供することを目的とする。【解決手段】本発明に係る携帯用端末機のサウンド出力装置においては、携帯用端末機のケーシングに備えられて、スピーカーユニット５００が装着される装着手段と、前記スピーカーユニット５００の前後方向に該スピーカーユニット５００から放出される音を案内する複数個のエアーダクトと、前記ケーシングに形成されて、前記各エアーダクトから案内される音が夫々外部に放出される複数個の音放出口と、を包含して構成されることを特徴とする。【選択図】図１
2005176373.tif 000002
【特許請求の範囲】
【請求項１】
携帯用端末機のケーシングに備えられて、スピーカーユニットが装着される装着手段と、前記スピーカーユニットの前後方向に該スピーカーユニットから放出される音を案内する複数個のエアーダクトと、前記ケーシングに形成されて、前記各エアーダクトから案内される音が夫々外部に放出される複数個の音放出口と、を包含して構成されることを特徴とする携帯用端末機のサウンド出力装置。
【請求項２】
前記装着手段は、携帯用端末機のホルダーケーシングに形成されたことを特徴とする請求項１記載の携帯用端末機のサウンド出力装置。
【請求項３】
前記装着手段は、前記ケーシングの一面に所定厚さと高さを持つように円筒状に延長突出された円筒形リーブと、該円筒形リーブの内部に位置するように前記ケーシングの一面に円筒状に段差されるように形成された円形溝と、を包含して構成されることを特徴とする請求項１記載の携帯用端末機のサウンド出力装置。
【請求項４】
前記複数個のエアーダクトは、スピーカーユニットの前方向に放出される音を案内する第１エアーダクトと、前記スピーカーユニットの後方向に放出される音を案内する第２エアーダクトと、を包含して構成されることを特徴とする請求項１記載の携帯用端末機のサウンド出力装置。
【請求項５】
前記音放出口は、前記スピーカーユニットの前方向に放出される音が外部に放出される第１音放出口と、前記スピーカーユニットの後方向に放出される音が外部に放出される第２音放出口と、を包含して構成されることを特徴とする請求項１記載の携帯用端末機のサウンド出力装置。
【請求項６】
前記第１音放出口と第２音放出口は、ケーシングの同一面に夫々形成されることを特徴とする請求項５記載の携帯用端末機のサウンド出力装置。
【請求項７】
前記第１音放出口は、一つ以上の貫通孔に形成されることを特徴とする請求項５記載の携帯用端末機のサウンド出力装置。
【請求項８】
前記第１音放出口は、前記装着手段の内部に位置することを特徴とする請求項５記載の携帯用端末機のサウンド出力装置。
【請求項９】
前記第２音放出口は、一つ以上の貫通孔に形成されたことを特徴とする請求項５記載の携帯用端末機のサウンド出力装置。
【請求項１０】
前記第２エアーダクトは、前記スピーカーユニットの後方向から出力される音波の進行を回折させるように曲線状に形成されたことを特徴とする請求項４記載の携帯用端末機のサウンド出力装置。
【請求項１１】
前記第２エアーダクトは、その断面積が一定ではないことを特徴とする請求項４記載の携帯用端末機のサウンド出力装置。
【請求項１２】
前記第２エアーダクトは、断面積が相互相違な三つの領域に形成されて、その真中の領域に位置する断面積が最も小さいことを特徴とする請求項１１記載の携帯用端末機のサウンド出力装置。
【請求項１３】
前記第２エアーダクトは、前記携帯用端末機のホルダーケーシングを構成するインナーケースの一面に所定形状に突出形成されたリーブと前記ホルダーケーシングを構成するアウターケースの一面に所定形状に突出形成されたリーブとが相互連結されることを特徴とする請求項４記載の携帯用端末機のサウンド出力装置。
【請求項１４】
前記第２エアーダクトを形成するインナーケースのリーブとアウターケースのリーブ間に音波の漏洩を防止するシーリング部材が結合されたことを特徴とする請求項１３記載の携帯用端末機のサウンド出力装置。
【発明の詳細な説明】
【技術分野】
【０００１】
本発明は、携帯用端末機（mobile  terminal）に係るもので、詳しくは、スピーカーユニットの前方向と後方向に出力される音を全て使用者が認識し得る前方向に出力されるようにするだけではなく、詳しくは、低音を再生する性能を向上し得る携帯用端末機のサウンド出力装置に関するものである。
【背景技術】
【０００２】
一般に、携帯用端末機は、使用者が簡便に使用しながらどこでも相手と音性の送受信ができる通信機器である。
【０００３】
最近、単純な音性の送受信機能の他にも映像情報を送受信する機能が付加された端末機がたくさん開発されている。
【０００４】
前記携帯用端末機の第１実施形態においては、図５に示したように、全面に複数個の機能ボタン１１０が備えられた本体１００と、該本体１００にヒンジ結合されるホルダー２００と、該ホルダー２００の前後面に備えられて、文字及び他の映像が表示されるディスプレイ３００と、前記本体１００側に備えられるマイクユニット４００と、前記ホルダー２００側に備えられるスピーカーユニット５００と、前記本体１００側に備えられるバッテリー６００と、を包含して構成される。未設名符号２２１は貫通孔である。
【０００５】
上記のように構成された従来の携帯用端末機は、使用者が携帯した状態で受信信号が前記ディスプレイ３００に表示されるか、又は前記スピーカーユニット５００を通って響くようになると、使用者は前記ホルダー２００をオープンして相手と音性情報又は映像情報を送受信するようになる。そして、音性情報や映像情報の送受信が終了すると、前記ホルダー２００が前記本体１００に重畳されて閉められるようになる。
【０００６】
一方、前記携帯用端末機は、前記ホルダー２００がヒンジに結合された形態の以外にも該ホルダー２００を上下にスライディングする形態及び前記ホルダー２００を回転させる形態など、色々ある。
【０００７】
上記のように構成された従来の携帯用端末機は、使用者が簡便に携帯し得るため小型化になるだけではなく、多様な機能が付加されるためにコンパックに構成されるように研究開発が進行されている。また、相手の音性がよりはっきり受信されるか、又はお知らせベールがより独特で、且つはっきり出力されるように研究開発が進行されている。
【０００８】
従来の携帯用端末機サウンド出力装置の第１実施形態においては、図６に示したように、前記ホルダーケーシング２１０を構成するインナーケース２２０の一方側に貫通形成される複数個の貫通孔２２１と、前記インナーケース２２０の一方側面に延長突出形成されて、前記スピーカーユニット５００が装着される装着部２２２と、該装着部２２２に固定結合されるスピーカーユニット５００と、前記インナーケース２２０と結合されるアウターケース２３０に所定の面積と深さを持つように形成されて、前記スピーカーユニットの後面部が結合される後面結合溝２３１と、を包含して構成されていた。また、前記インナーケースとアウターケースは、ホルダーケーシングを構成する。
【０００９】
また、前記スピーカーユニット５００は、その外形が環状に形成される。また、前記装着部２２２は、前記スピーカーユニット５００の外形と相応するように円形に突出形成される。
また、前記後面結合溝２３１は、前記アウターケース２３０の一面に前記装着部２２２に装着されたスピーカーユニット５００を覆蓋するように円形の溝形態に形成される。
【００１０】
また、前記スピーカーユニット５００は、携帯用端末機の大きさを小型化するために大きさが限定されているため、大きさが比較的小さなスピーカーユニット５００が使われる。また、該大きさが小さなスピーカーユニット５００は、前記インナーケースの装着部２２２に挿入固定されて、場合によって装着部２２２の内部に挿入された状態で接着剤により接着固定される。そして、前記アウターケース２３０が前記インナーケース２２０に結合されることで、そのアウターケースの後面結合溝２３１に前記スピーカーユニット５００の後面部が挿入固定される。
【００１１】
上記のように構成された従来携帯用端末機のサウンド出力装置においては、前記スピーカーユニット５００から音が出力されると、該出力された音は、該スピーカーユニットの前方に形成された複数個の貫通孔２２１を通って外部に放出される。該貫通孔２２１を通って放出される高音と低音は、使用者の耳に伝えられる。
【発明の開示】
【発明が解決しようとする課題】
【００１２】
然るに、上記のように構成された従来の携帯用端末機のサウンド出力装置においては、携帯用端末機の大きさが限定された状態であるため、大きさが比較的大きいスピーカーユニット５００を使用し得なく、大きさが比較的小さなスピーカーユニット５００を使用することで、音の出力が低下され、且つ低音の再生が悪くて音質が低下されるという不都合な点があった。
【００１３】
また、前記スピーカーユニット５００から出力される音が該スピーカーユニット５００の前方向と後方向に放射されるが、その後方向に放射される音がアウターケースの後面結合溝２３１及び前記ホルダーケーシング２１０の内部に位置するその他の部品により遮蔽されて外部に放射され得なく、ただ前記スピーカーユニット５００の前方向に放射される音のみが貫通孔２２１を通って外部に放出されるため、前記スピーカーユニット５００の後方向に放射される音を利用し得ないという不都合な点があった。
【００１４】
本発明は、上記の問題点に鑑みて成されたもので、スピーカーユニットの前方向と後方向に出力される音を全て使用者が認識し得る前方向に出力されるようにするだけではなく、特に、低音を再生する性能を向上し得る携帯用端末機のサウンド出力装置を提供することを目的とする。
【課題を解決するための手段】
【００１５】
上記目的を達成するため、携帯用端末機のサウンド出力装置においては、携帯用端末機のケーシングに備えられて、スピーカーユニットが装着される装着手段と、前記スピーカーユニットの前後方向に該スピーカーユニットから放出される音を案内する複数個のエアーダクトと、前記ケーシングに形成されて、前記各エアーダクトから案内される音が夫々外部に放出される複数個の音放出口と、を包含して構成されることを特徴とする。
【００１６】
従って、本発明は、以下を提供する：
１．  携帯用端末機のケーシングに備えられて、スピーカーユニットが装着される装着手段と、前記スピーカーユニットの前後方向に該スピーカーユニットから放出される音を案内する複数個のエアーダクトと、前記ケーシングに形成されて、前記各エアーダクトから案内される音が夫々外部に放出される複数個の音放出口と、を包含して構成されることを特徴とする携帯用端末機のサウンド出力装置。
２．  前記装着手段は、携帯用端末機のホルダーケーシングに形成されたことを特徴とする項目１記載の携帯用端末機のサウンド出力装置。
３．  前記装着手段は、前記ケーシングの一面に所定厚さと高さを持つように円筒状に延長突出された円筒形リーブと、該円筒形リーブの内部に位置するように前記ケーシングの一面に円筒状に段差されるように形成された円形溝と、を包含して構成されることを特徴とする項目１記載の携帯用端末機のサウンド出力装置。
４．  前記複数個のエアーダクトは、スピーカーユニットの前方向に放出される音を案内する第１エアーダクトと、前記スピーカーユニットの後方向に放出される音を案内する第２エアーダクトと、を包含して構成されることを特徴とする項目１記載の携帯用端末機のサウンド出力装置。
５．  前記音放出口は、前記スピーカーユニットの前方向に放出される音が外部に放出される第１音放出口と、前記スピーカーユニットの後方向に放出される音が外部に放出される第２音放出口と、を包含して構成されることを特徴とする項目１記載の携帯用端末機のサウンド出力装置。
６．  前記第１音放出口と第２音放出口は、ケーシングの同一面に夫々形成されることを特徴とする項目５記載の携帯用端末機のサウンド出力装置。
７．  前記第１音放出口は、一つ以上の貫通孔に形成されることを特徴とする項目５記載の携帯用端末機のサウンド出力装置。
８．  前記第１音放出口は、前記装着手段の内部に位置することを特徴とする項目５記載の携帯用端末機のサウンド出力装置。
９．  前記第２音放出口は、一つ以上の貫通孔に形成されたことを特徴とする項目５記載の携帯用端末機のサウンド出力装置。
１０．  前記第２エアーダクトは、前記スピーカーユニットの後方向から出力される音波の進行を回折させるように曲線状に形成されたことを特徴とする項目４記載の携帯用端末機のサウンド出力装置。
１１．  前記第２エアーダクトは、その断面積が一定ではないことを特徴とする項目４記載の携帯用端末機のサウンド出力装置。
１２．  前記第２エアーダクトは、断面積が相互相違な三つの領域に形成されて、その真中の領域に位置する断面積が最も小さいことを特徴とする項目１１記載の携帯用端末機のサウンド出力装置。
１３．  前記第２エアーダクトは、前記携帯用端末機のホルダーケーシングを構成するインナーケースの一面に所定形状に突出形成されたリーブと前記ホルダーケーシングを構成するアウターケースの一面に所定形状に突出形成されたリーブとが相互連結されることを特徴とする項目４記載の携帯用端末機のサウンド出力装置。
１４．  前記第２エアーダクトを形成するインナーケースのリーブとアウターケースのリーブ間に音波の漏洩を防止するシーリング部材が結合されたことを特徴とする項目１３記載の携帯用端末機のサウンド出力装置。 
【発明の効果】
【００１７】
本発明に係る端末機サウンド出力装置においては、スピーカーユニット５００から出力される前方向音と後方向音を全て使用者が認識し得るように外部に出力させるだけではなく、該スピーカーユニット５００の後方向に出力される音をフィルタリングして低音を出力するようになることで、既存の出力音に低音を補強して出力音の質を向上し得るだけではなく、全体的な出力音圧を向上し得るという効果がある。
【発明を実施するための最良の形態】
【００１８】
以下、本発明に係る用端末機のサウンド出力装置に対し、貼付図面を用いて詳細に説明する
本発明に係る用端末機のサウンド出力装置の第１実施形態が備えられた携帯用端末機においては、図１及び図２に示したように、全面に複数個の機能ボタンが備えられた本体１００と、該本体１００にヒンジ結合されるホルダー２００と、該ホルダー２００の前後面に備えられて、文字及び他の映像が表示されるディスプレイ３００と、前記本体１００側に備えられるマイクユニット４００と、前記ホルダー２００側に備えられるサウンド出力装置と前記本体１００側に備えられるバッテリー６００と、を包含して構成される。
【００１９】
また、前記本体１００とディスプレイ３００とマイクユニット４００とバッテリー６００は、一般的な技術であって詳細な説明を省略する。
【００２０】
前記ホルダー２００の外観を形成するホルダーケーシング２１０は、前記ホルダー２００が本体１００が閉められる時に前記本体１００と接触されるインナーケース２４０と、該インナーケース２４０に結合されるアウターケース２５０と、を包含して構成される。
【００２１】
また、前記サウンド出力装置は、前記ホルダーケーシング２１０に備えられて、前記スピーカーユニット５００が装着される装着手段と、前記スピーカーユニット５００の前後方向に該スピーカーユニット５００から放出される音を案内する複数個のエアーダクトと、前記ホルダーケーシング２１０に形成されて、前記各エアーダクトから案内される音が夫々外部に放出される複数個の音放出口と、を包含して構成される。
【００２２】
また、前記装着手段は、前記ホルダーケーシング２１０を構成するインナーケース２４０の一面に所定厚さと高さを持つように円筒状に延長突出された円筒形リーブ２４３と、該円筒形リーブ２４３の内部に位置するように前記インナーケース２４０の一面に円筒状に段差されるように形成された円形溝２４４と、を包含して構成される。
【００２３】
前記複数個のエアーダクトは、前記スピーカーユニット５００の前方向に放出される音を案内する第１エアーダクト８００と、前記スピーカーユニット５００の後方向に放出される音を案内する第２エアーダクト７００と、を包含して構成される。そして、前記各音放出口は、前記第１エアーダクト８００と連通されるように前記ホルダーケーシング２１０に形成される第１音放出口２４１と、前記第２エアーダクト７００と連通されるように前記ホルダーケーシング２１０に形成される第２音放出口２４２と、を包含して構成される。
【００２４】
また、前記第１音放出口２４１と第２音放出口２４２は、前記ホルダーケーシングのインナーケース２４０の一面に夫々形成される。また、前記第１音放出口２４１は、前記装着手段である円形溝２４４の内部に形成されることが好ましい。また、前記第１音放出口２４１は、複数個の貫通孔に形成される。また、前記第１音放出口２４１の他の変形形態として一つの貫通孔に形成される。また、前記第２音放出口２４２は、前記第１音放出口２４１と所定距離を置いて前記ホルダーケーシングのインナーケース２４０に形成される。また、前記第２音放出口２４２は、複数個の貫通孔に形成される。また、該第２音放出口２４２の他の変形形態として一つの貫通孔に形成される。
【００２５】
また、前記スピーカーユニット５００は、前記装着手段の円筒形リーブ２４３の内部に装着されて、該円筒形リーブ２４３の一部分が前記第１エアーダクト８００を形成するようになる。また、前記スピーカーユニット５００は、その前面部が第１音放出口２４１側に位置するように装着される。
【００２６】
また、前記スピーカーユニット５００は、前記円筒形リーブ２４３の内部に嵌入固定され、且つ、接着剤により付着して固定結合することもできる。
【００２７】
また、前記第２エアーダクト７００は、所定の長さを有する曲線形態に形成されて、その断面積が一定ではないように形成される。また、前記第２エアーダクト７００は、前記スピーカーユニット５００の外径より大きい断面積と一定の長さを有する第１管部７１０と、該第１管部７１０に延長折曲されて、該第１管部７１０より断面積が小さな第２管部７２０と、該第２管部７２０に延長折曲されて、該第２管部７２０より断面積が大きい第３管部７３０と、を包含して形成される。また、前記第１管部７１０の断面積と第３管部７３０の断面積とは相互同様であるか、又は相違であることもできる。また、前記第１、３管部７１０、７３０は、その断面が円形である。また、前記第１、３管部７１０、７３０の変形形態として、その断面が四角形であるか、又は楕円形など多様な形態に形成するこもができる。
【００２８】
また、前記第２エアーダクト７００は、前記第１管部７１０が前記装着手段の円筒形リーブ２４３に挿入結合され、前記第３管部７３０が前記第２音放出口２４２側に固定結合される。また、前記第１管部７１０は、前記円筒形リーブ２４３の内部に挿入されることが好ましい。また、前記スピーカーユニット５００の後面部は、前記第１管部７１０の内部に位置するようになる。また、前記ホルダーケーシングのインナーケース２４０に結合部２４５が形成されて、該結合部２４５に前記エアーダクトの第３管部７３０が固定結合される。また、前記結合部２４５は、所定高さを有する円筒形リーブに形成されて、前記結合部２４５の円筒形リーブの内部に前記第３管部７３０が挿入固定されて、前記第２音放出口２４２は、前記結合部２４５の円筒形リーブの内部に位置するようになる。
【００２９】
上記したように、前記第２エアーダクト７００は、一つの管状に形成し得るし、また、図３に示したように、前記ホルダーケーシング２１０を構成するインナーケース２４０の一面に所定形状に突出されたリーブ２４６が形成され、前記ホルダーケーシング２１０を構成するアウターケース２５０の一面に所定形状に突出されたリーブ２５６が形成されて、該二つのリーブ２４６、２５６が結合されることで形成することもできる。また、相互結合される二つのリーブ２４６、２５６間に音波の漏洩を防止するシーリング部材２６０が結合されることが好ましい。
【００３０】
また、前記エアーダクトの他の変形形態として該エアーダクトがホルダーケーシング２１０の内部に二つ以上に形成されて、また、前記各音放出口は、前記各エアーダクトの数に合うように前記ホルダーケーシング２１０に二つ以上形成される。
【００３１】
本発明に係る用端末機サウンド出力装置は、前記ホルダー２００の以外に本体１００の多様な位置に設置し得るし、且つ、携帯用端末機のホルダー２００又は本体１００に複数個設置することもできる。
【００３２】
以下、本発明に係る用端末機サウンド出力装置の動作に対し、説明する。
【００３３】
携帯電話端末機の本体１００から接受される信号により前記スピーカーユニット５００から音を出力する該スピーカーユニット５００の前方向に出力される音が、前記第１エアーダクト８００により案内されて、前記第１音放出口２４１を通って外部に放出され、前記スピーカーユニット５００の後方向に出力される音が第２エアーダクト７００を通って案内されて、該第２エアーダクト７００と連通された前記第２音放出口２４２を通って外部に放出される。また、前記第１、２音放出口２４１、２４２から放出される音は使用者の耳に伝えられる。
【００３４】
前記過程で、前記第１音放出口２４１を通って放出される音は、スピーカーの前方に出力される高音と低音がそのまま出てくるようになり、前記第２音放出口２４２を通って放出される音は、主に第２エアーダクト７００によりフィールダーリングされた低音が放出される。即ち、図４に示したように、前記スピーカーユニット５００の後方向に放出される高音と低音が前記曲線形態の第２エアーダクト７００を通って進行されながら波長の短い低音は回折に強いため、該第２エアーダクト７００を通ってそのまま進行されて第２音放出口２４２を通って放出される。反面、波長が相対的に短い高音は回折に弱いため、前記第２エアーダクト７００を通って進行されながら出力が弱まる。従って、前記第２音放出口２４２を通って出力される音は主に低音が出力されるため、低音の再生性能が向上される。
【００３５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００３６】
【図１】本発明に係る用端末機のサウンド出力装置の第１実施形態が備えられた携帯用端末機の斜視図である。
【図２】本発明に係る用端末機サウンド出力装置を示した断面図である。
【図３】本発明に係る用端末機サウンド出力装置の他の実施例を示した断面図である。
【図４】本発明に係る用端末機サウンド出力装置の作動状態を示した断面図である。
【図５】従来の携帯用端末機を示した斜視図である。
【図６】従来の携帯用端末機のサウンド出力装置を示した断面図である。
【符号の説明】
【００３７】
２４０：インナーケース
２４１：第１音放出口
２４２：第２音放出口
２４３：円筒形リーブ
２４４：円形溝
２４６、２５６：リーブ
２５０：アウターケース
２６０：シーリング部材
５００：スピーカーユニット
７００：エアーダクト
８００：第１エアーダクト
【図１】
2005176373.tif 000003
【図２】
2005176373.tif 000004
【図３】
2005176373.tif 000005
【図４】
2005176373.tif 000006
【図５】
2005176373.tif 000007
【図６】
2005176373.tif 000008